(57)【要約】【課題】機能性カプセルの分散性と凍結復元性とに優れた液体柔軟剤を提供する。【解決手段】下記（Ａ）〜（Ｄ）成分：  （Ａ）エステル基及び／又はアミド基で分断されていてもよい、炭素数１０〜２６の炭化水素基を分子内に１〜３個有するアミン化合物、その塩及びその４級化物からなる群から選ばれる少なくとも１種の化合物、  （Ｂ）ノニオン界面活性剤、  （Ｃ）ＣｌｏｇＰ値が３．０以上の溶剤、並びに  （Ｄ）機能性カプセルを含み、  （Ｃ）成分の含量が、前記液体柔軟剤組成物の総質量に対し０．１質量％以上である、液体柔軟剤組成物。【選択図】なし【特許請求の範囲】
【請求項１】
液体柔軟剤組成物であって、下記（Ａ）〜（Ｄ）成分：
（Ａ）エステル基及び／又はアミド基で分断されていてもよい、炭素数１０〜２６の炭化水素基を分子内に１〜３個有するアミン化合物、その塩及びその４級化物からなる群から選ばれる少なくとも１種の化合物、
（Ｂ）ノニオン界面活性剤、
（Ｃ）ＣｌｏｇＰ値が３．０以上の溶剤、並びに
（Ｄ）機能性カプセルを含み、
（Ｃ）成分の含量が、前記液体柔軟剤組成物の総質量に対し０．１質量％以上である、液体柔軟剤組成物。
【請求項２】
（Ａ）成分の含量が、液体柔軟剤組成物の総質量に対し３〜３０質量％であり、
（Ｂ）成分の含量が、液体柔軟剤組成物の総質量に対し０．８〜１０質量％であり、
（Ｃ）成分の含量が、液体柔軟剤組成物の総質量に対し０．１〜５質量％である、
請求項１に記載の液体柔軟剤組成物。
【請求項３】
（Ｂ）成分の（Ａ）成分に対する質量比（（Ｂ）／（Ａ））が０．１０〜１．０であり、
（Ｂ）成分の（Ｃ）成分に対する質量比（（Ｂ）／（Ｃ））が１〜３０である、
請求項１又は２に記載の液体柔軟剤組成物。
【請求項４】
（Ｃ）成分が、イソプロピルミリステート、イソプロピルパルミテート、イソブチルミリステート、イソブチルパルミテート、及びベンジルベンゾエートからなる群より選ばれる、請求項１〜３のいずれか１項に記載の液体柔軟剤組成物。
【請求項５】
（Ｂ）成分が、ラウリルアルコールの平均ＥＯ１０〜１００モル付加物、又は、一級イソトリデシルアルコールの平均ＥＯ１０〜１００モル付加物である、請求項１〜４のいずれか１項に記載の液体柔軟剤組成物。
【発明の詳細な説明】
【技術分野】
【０００１】
本発明は液体柔軟剤組成物に関する。詳細には、本発明は、機能性カプセルの分散性と凍結復元性とに優れた液体柔軟剤組成物に関する。
【背景技術】
【０００２】
近年、液体柔軟剤の性能向上のために、有益物質を高分子等で被覆してなる機能性カプセルが用いられている。機能性カプセルを液体柔軟剤中で安定に分散させるために、特定成分を特定比率で配合して構造粘性を付与する技術が知られている（特許文献１〜２)。また、ノニオン界面活性剤は、凍結復元性改善にも効果的であることが知られている（特許文献１〜２）。
その他、液体柔軟剤に関し、保存中の増粘を抑制する技術（特許文献３）、臭気抑制機能を付与する技術（特許文献４〜５）、香りの劣化を抑制する技術（特許文献６）や、柔軟性付与効果を維持する技術（特許文献７）が知られている。
【先行技術文献】
【特許文献】
【０００３】
【特許文献１】特開２０１５−２２７５１５号公報
【特許文献２】特開２０１６−１１３７０５号公報
【特許文献３】特開２０１２−８２５３８号公報
【特許文献４】特開２００８−６３６８１号公報
【特許文献５】特表２０１７−５３５６２８号公報
【特許文献６】特開２０１０−３７４７２号公報
【特許文献７】特開２０１７−１７２０５１号公報
【発明の概要】
【発明が解決しようとする課題】
【０００４】
しかしながら、構造粘性付与のために特定成分（特許文献２では特定の平均分子量を有するグルカン等）の高配合を必要とする従来技術には製造コストに課題がある。
【課題を解決するための手段】
【０００５】
本発明者は、上記の課題を鋭意検討した結果、液体柔軟剤用の香料組成物に利用可能な溶剤のうち特定のＣｌｏｇＰ値を有するものが、液体柔軟剤へ構造粘性を付与する機能も有することを見いだした。本発明は、この知見に基づいてなされたものである。
【０００６】
すなわち、本発明は、以下の〔１〕〜〔５〕に関するものである。
〔１〕液体柔軟剤組成物であって、下記（Ａ）〜（Ｄ）成分：
（Ａ）エステル基及び／又はアミド基で分断されていてもよい、炭素数１０〜２６の炭化水素基を分子内に１〜３個有するアミン化合物、その塩及びその４級化物からなる群から選ばれる少なくとも１種の化合物、
（Ｂ）ノニオン界面活性剤、
（Ｃ）ＣｌｏｇＰ値が３．０以上の溶剤、並びに
（Ｄ）機能性カプセルを含み、
（Ｃ）成分の含量が、前記液体柔軟剤組成物の総質量に対し０．１質量％以上である、液体柔軟剤組成物。
〔２〕（Ａ）成分の含量が、液体柔軟剤組成物の総質量に対し３〜３０質量％であり、
（Ｂ）成分の含量が、液体柔軟剤組成物の総質量に対し０．８〜１０質量％であり、
（Ｃ）成分の含量が、液体柔軟剤組成物の総質量に対し０．１〜５質量％である、
前記〔１〕に記載の液体柔軟剤組成物。
〔３〕（Ｂ）成分の（Ａ）成分に対する質量比（（Ｂ）／（Ａ））が０．１０〜１．０であり、
（Ｂ）成分の（Ｃ）成分に対する質量比（（Ｂ）／（Ｃ））が１〜３０である、
前記〔１〕又は〔２〕に記載の液体柔軟剤組成物。
〔４〕（Ｃ）成分が、イソプロピルミリステート、イソプロピルパルミテート、イソブチルミリステート、イソブチルパルミテート、及びベンジルベンゾエートからなる群より選ばれる、前記〔１〕〜〔３〕のいずれか１項に記載の液体柔軟剤組成物。
〔５〕（Ｂ）成分が、ラウリルアルコールの平均ＥＯ１０〜１００モル付加物、又は、一級イソトリデシルアルコールの平均ＥＯ１０〜１００モル付加物である、前記〔１〕〜〔４〕のいずれか１項に記載の液体柔軟剤組成物。
【発明の効果】
【０００７】
後述の実施例で示されるように、本発明の液体柔軟剤組成物は、機能性カプセルの安定な分散を可能にする構造粘性を特別な成分の配合なしに（換言すれば低コストで）発現する。更に前記液体柔軟剤組成物は優れた凍結復元性も有する。
従って、本発明は従来製品にはない付加価値を有する液体柔軟剤として有用である。
【発明を実施するための形態】
【０００８】
〔（Ａ）成分〕
（Ａ）成分は「エステル基及び／又はアミド基で分断されていてもよい、炭素数１０〜２６の炭化水素基を分子内に１〜３個有するアミン化合物、その塩及びその４級化物からなる群から選ばれる少なくとも１種の化合物」であるカチオン界面活性剤である。
（Ａ）成分は、柔軟性付与効果及び構造粘性を液体柔軟剤組成物へ付与するために配合する。
炭素数１０〜２６の炭化水素基（以下、本明細書において「長鎖炭化水素基」ということがある）の炭素数は、１０〜２６であり、１７〜２６が好ましく、１９〜２４がより好ましい。炭素数が１０以上であると柔軟性が良好で、２６以下であるとハンドリング性が良好である。長鎖炭化水素基は、飽和であっても不飽和であってもよい。長鎖炭化水素基が不飽和である場合、二重結合の位置はいずれの箇所にあっても構わないが、二重結合が１個の場合には、その二重結合の位置は長鎖炭化水素基の中央であるか、中央周辺に存在していることが好ましい。
長鎖炭化水素基は、鎖状の炭化水素基であっても構造中に環を含む炭化水素基であってもよく、好ましくは鎖状の炭化水素基である。鎖状の炭化水素基は、直鎖状、分岐鎖状のいずれであってもよい。鎖状の炭化水素基としては、アルキル基またはアルケニル基が好ましく、アルキル基がより好ましい。
【０００９】
長鎖炭化水素基は、エステル基（−ＣＯＯ−）及び／又はアミド基（−ＮＨＣＯ−）で分断されていてもよい。すなわち、長鎖炭化水素基は、その炭素鎖中に、エステル基及びアミド基からなる群から選択される少なくとも１種の分断基を有し、該分断基によって炭素鎖が分断されたものであってもよい。該分断基を有すると、生分解性が向上する等の点から好ましい。
該分断基を有する場合、１つの長鎖炭化水素基が有する分断基の数は１つであっても２つ以上であってもよい。すなわち、長鎖炭化水素基は、分断基によって１ヶ所が分断されていてもよく、２ヶ所以上が分断されていてもよい。分断基を２つ以上有する場合、各分断基は、同じであっても異なっていてもよい。
なお、炭素鎖中に分断基を有する場合、分断基が有する炭素原子は、長鎖炭化水素基の炭素数にカウントするものとする。
長鎖炭化水素基は、通常、工業的に使用される牛脂由来の未水添脂肪酸、不飽和部を水添もしくは部分水添して得られる脂肪酸、パーム椰子、油椰子などの植物由来の未水添脂肪酸もしくは脂肪酸エステル、あるいは不飽和部を水添もしくは部分水添して得られる脂肪酸又は脂肪酸エステル等を使用することにより導入される。
（Ａ）成分であるアミン化合物としては、２級アミン化合物又は３級アミン化合物が好ましく、３級アミン化合物がより好ましい。
【００１０】
（Ａ）成分であるアミン化合物として、より具体的には、下記一般式（Ａ１）で表される化合物が挙げられる。
【化１】
2019210576.tif 000002
〔式中、Ｒ1〜Ｒ3はそれぞれ独立に、炭素数１０〜２６の炭化水素基、−ＣＨ2ＣＨ（Ｙ）ＯＣＯＲ4（Ｙは水素原子又はＣＨ3であり、Ｒ4は炭素数７〜２１の炭化水素基である。）若しくは−（ＣＨ2）nＮＨＣＯＲ5（ｎは２又は３であり、Ｒ5は炭素数７〜２１の炭化水素基である。）、水素原子、炭素数１〜４のアルキル基、−ＣＨ2ＣＨ（Ｙ）ＯＨ、又は−（ＣＨ2）nＮＨ2であり、Ｒ1〜Ｒ3のうちの少なくとも１つは、炭素数１０〜２６の炭化水素基、−ＣＨ2ＣＨ（Ｙ）ＯＣＯＲ4又は−（ＣＨ2）nＮＨＣＯＲ5である。〕
【００１１】
一般式（Ａ１）中、Ｒ1〜Ｒ3における炭素数１０〜２６の炭化水素基の炭素数は、１７〜２６が好ましく、１９〜２４がより好ましい。該炭化水素基は、飽和であっても不飽和であってもよい。該炭化水素基としては、アルキル基又はアルケニル基が好ましい。
−ＣＨ2ＣＨ（Ｙ）ＯＣＯＲ4中、Ｙは水素原子又はＣＨ3であり、水素原子が特に好ましい。Ｒ4は炭素数７〜２１の炭化水素基、好ましくは炭素数１５〜１９の炭化水素基である。一般式（Ａ１）で表される化合物中にＲ4が複数存在するとき、該複数のＲ4は互いに同一であってもよく、それぞれ異なっていても構わない。
【００１２】
Ｒ4の炭化水素基は、炭素数８〜２２の脂肪酸（Ｒ4ＣＯＯＨ）からカルボキシ基を除いた残基（脂肪酸残基）であり、Ｒ4のもととなる脂肪酸（Ｒ4ＣＯＯＨ）は、飽和脂肪酸でも不飽和脂肪酸でもよく、また、直鎖脂肪酸でも分岐脂肪酸でもよい。中でも、飽和又は不飽和の直鎖脂肪酸が好ましい。柔軟処理した衣類に良好な吸水性を付与するために、Ｒ4のもととなる脂肪酸の飽和／不飽和比率（質量比）は、９０／１０〜０／１００が好ましく、８０／２０〜０／１００がより好ましい。
Ｒ4が不飽和脂肪酸残基である場合、シス体とトランス体が存在するが、シス体／トランス体の質量比率は、４０／６０〜１００／０が好ましく、７０／３０〜９０／１０が特に好ましい。
【００１３】
Ｒ4のもととなる脂肪酸として具体的には、ステアリン酸、パルミチン酸、ミリスチン酸、ラウリン酸、オレイン酸、エライジン酸、リノール酸、部分水添パーム油脂肪酸（ヨウ素価１０〜６０）、部分水添牛脂脂肪酸（ヨウ素価１０〜６０）などが挙げられる。中でも、ステアリン酸、パルミチン酸、ミリスチン酸、オレイン酸、エライジン酸、およびリノール酸から選ばれる２種以上を所定量ずつ組み合わせて、以下の条件（ａ）〜（ｃ）を満たすように調整した脂肪酸組成物を用いることが好ましい。
（ａ）飽和脂肪酸／不飽和脂肪酸の比率（質量比）が９０／１０〜０／１００、より好ましくは８０／２０〜０／１００である。（ｂ）シス体／トランス体の比率（質量比）が４０／６０〜１００／０、より好ましくは７０／３０〜９０／１０である。（ｃ）炭素数１８の脂肪酸が６０質量％以上、好ましくは８０質量％以上であり、炭素数２０の脂肪酸が２質量％未満であり、炭素数２１〜２２の脂肪酸が１質量％未満である。
【００１４】
−（ＣＨ2）nＮＨＣＯＲ5中、ｎは２又は３であり、３が特に好ましい。Ｒ5は炭素数７〜２１、好ましくは１５〜１９の炭化水素基である。一般式（Ａ１）で表される化合物中にＲ5が複数存在するとき、該複数のＲ5は互いに同一であってもよく、それぞれ異なっていても構わない。Ｒ5としては、Ｒ4と同様のものが挙げられる。
【００１５】
Ｒ1〜Ｒ3のうち、少なくとも１つは長鎖炭化水素基（炭素数１０〜２６の炭化水素基、−ＣＨ2ＣＨ（Ｙ）ＯＣＯＲ4、又は−（ＣＨ2）nＮＨＣＯＲ5）であり、２つが長鎖炭化水素基であることが好ましい。Ｒ1〜Ｒ3のうち、１つ又は２つが長鎖炭化水素基である場合、残りの２つ又は１つは、水素原子、炭素数１〜４のアルキル基、−ＣＨ2ＣＨ（Ｙ）ＯＨ、又は−（ＣＨ2）nＮＨ2であり、炭素数１〜４のアルキル基、−ＣＨ2ＣＨ（Ｙ）ＯＨ、又は−（ＣＨ2）nＮＨ2であることが好ましい。これらのうち、炭素数１〜４のアルキル基としては、メチル基又はエチル基が好ましく、メチル基が特に好ましい。−ＣＨ2ＣＨ（Ｙ）ＯＨにおけるＹは、−ＣＨ2ＣＨ（Ｙ）ＯＣＯＲ4中のＹと同様である。−（ＣＨ2）nＮＨ2におけるｎは、−（ＣＨ2）nＮＨＣＯＲ5中のｎと同様である。
【００１６】
前記一般式（Ａ１）で表される化合物の好ましい例として、下記一般式（Ａ１−１）〜（Ａ１−８）で表される化合物が挙げられる。
【化２】
2019210576.tif 000003
〔式中、Ｒ7及びＲ8はそれぞれ独立に、炭素数１０〜２６の炭化水素基である。Ｒ9及びＲ10はそれぞれ独立に、炭素数７〜２１の炭化水素基である。〕
【００１７】
Ｒ7及びＲ8における炭化水素基としては、前記Ｒ1〜Ｒ3における炭素数１０〜２６の炭化水素基と同様のものが挙げられる。
Ｒ9、Ｒ10における炭素数７〜２１の炭化水素基としては、前記Ｒ4における炭素数７〜２１の炭化水素基と同様のものが挙げられる。式中にＲ9が複数存在するとき、該複数のＲ9は互いに同一であってもよく、それぞれ異なっていても構わない。
【００１８】
（Ａ）成分は、アミン化合物の塩又は４級化物であってもよい。
アミン化合物の塩は、アミン化合物を酸で中和することにより得られる。アミン化合物の中和に用いる酸としては、有機酸でも無機酸でもよく、例えば塩酸、硫酸、メチル硫酸等が挙げられる。アミン化合物の中和は、公知の方法により実施できる。
アミン化合物の４級化物は、該アミン化合物に４級化剤を反応させて得られる。アミン化合物の４級化に用いる４級化剤としては、例えば、塩化メチル等のハロゲン化アルキル、ジメチル硫酸等のジアルキル硫酸などが挙げられる。これらの４級化剤をアミン化合物と反応させると、アミン化合物の窒素原子に４級化剤のアルキル基が導入され、４級アンモニウムイオンとハロゲンイオン又はモノアルキル硫酸イオンとの塩が形成される。４級化剤により導入されるアルキル基は、炭素数１〜４のアルキル基が好ましく、メチル基又はエチル基がより好ましく、メチル基が特に好ましい。アミン化合物の４級化は、公知の方法により実施できる。
【００１９】
（Ａ）成分としては、前記一般式（Ａ１）で表される化合物、その塩及びその４級化物からなる群から選ばれる少なくとも１種が好ましく、前記一般式（Ａ１−１）〜（Ａ１−８）、その塩及びその４級化物からなる群から選ばれる少なくとも１種がより好ましく、（Ａ１−４）〜（Ａ１−６）、その塩及びその４級化物からなる群から選ばれる少なくとも１種が特に好ましい。
【００２０】
一般式（Ａ１）で表される化合物、その塩及びその４級化物は、市販のものを用いてもよく、公知の方法により製造したものを用いてもよい。
例えば、一般式（Ａ１−２）で表される化合物（以下「化合物（Ａ１−２）」）、一般式（Ａ１−３）で表される化合物（以下「化合物（Ａ１−３）」）は、上記脂肪酸組成物、または該脂肪酸組成物における脂肪酸を該脂肪酸のメチルエステルに置き換えた脂肪酸メチルエステル組成物とメチルジエタノールアミンとの縮合反応により合成することができる。その際、柔軟性を良好にする観点から、「化合物（Ａ１−２）／化合物（Ａ１−３）」で表される存在比率が、質量比で９９／１〜５０／５０となるように合成することが好ましい。
更に、その４級化物を用いる場合には、４級化剤としてジメチル硫酸を用いることがより好ましい。その際、柔軟性の観点から「化合物（Ａ１−２）の４級化物／化合物（Ａ１−３）の４級化物」で表される存在比率が、質量比で９９／１〜５０／５０となるように合成することが好ましい。
【００２１】
一般式（Ａ１−４）で表される化合物（以下「化合物（Ａ１−４）」）、一般式（Ａ１−５）で表される化合物（以下「化合物（Ａ１−５）」）、一般式（Ａ１−６）で表される化合物（以下「化合物（Ａ１−６）」）は、上記脂肪酸組成物または脂肪酸メチルエステル組成物とトリエタノールアミンとの縮合反応により合成することができる。その際、化合物（Ａ１−４）、（Ａ１−５）、（Ａ１−６）の合計質量に対する個々の成分の含有比率は、柔軟性の観点から、化合物（Ａ１−４）が１〜６０質量％、化合物（Ａ１−５）が５〜９８質量％、化合物（Ａ１−６）が０．１〜４０質量％であることが好ましく、化合物（Ａ１−４）が３０〜６０質量％、化合物（Ａ１−５）が１０〜５５質量％、化合物（Ａ１−６）が５〜３５質量％であることがより好ましい。
また、その４級化物を用いる場合には、４級化反応を十分に進行させる点で、４級化剤としてジメチル硫酸を用いることがより好ましい。化合物（Ａ１−４）、（Ａ１−５）、（Ａ１−６）の各４級化物の存在比率は、柔軟性の観点から質量比で、化合物（Ａ１−４）の４級化物が１〜６０質量％、化合物（Ａ１−５）の４級化物が５〜９８質量％、化合物（Ａ１−６）の４級化物が０．１〜４０質量％であることが好ましく、化合物（Ａ１−４）の４級化物が３０〜６０質量％、化合物（Ａ１−５）の４級化物が１０〜５５質量％、化合物（Ａ１−６）の４級化物が５〜３５質量％であることがより好ましい。また、化合物（Ａ１−４）、（Ａ１−５）、（Ａ１−６）を４級化する場合、一般的に４級化反応後も４級化されていないエステルアミンが残留する。その際、「４級化物／４級化されていないエステルアミン」の比率は７０／３０〜９９／１の質量比率の範囲内であることが好ましい。
【００２２】
一般式（Ａ１−７）で表される化合物（以下「化合物（Ａ１−７）」）、一般式（Ａ１−８）で表される化合物（以下「化合物（Ａ１−８）」）は、上記脂肪酸組成物とＮ−メチルエタノールアミンとアクリロニトリルの付加物より、Ｊ．Ｏｒｇ．Ｃｈｅｍ．，２６，３４０９（１９６０）に記載の公知の方法で合成したＮ−（２−ヒドロキシエチル）−Ｎ−メチル−１，３−プロピレンジアミンとの縮合反応により合成することができる。その際、「化合物（Ａ１−７）／化合物（Ａ１−８）」で表される存在比率が質量比で９９／１〜５０／５０となるように合成することが好ましい。またその４級化物を用いる場合には４級化剤として塩化メチルを用いることが好ましく、「化合物（Ａ１−７）の４級化物／化合物（Ａ１−８）の４級化物」で表される存在比率が、質量比で９９／１〜５０／５０となるように合成することが好ましい。
【００２３】
（Ａ）成分は公知物質であり、市場で容易に入手可能である、又は、調製可能である。
【００２４】
（Ａ）成分は、単一種類を使用してもよく、複数種類を組み合わせて使用してもよい。
【００２５】
（Ａ）成分の含量は配合目的を達成できる限り特に限定されないが、液体柔軟剤組成物の総質量に対し、好ましくは３〜３０質量％、更に好ましくは５〜２０質量％、特に好ましくは６〜１５質量％である。（Ａ）成分の含量が３質量％以上であると、液体柔軟剤組成物の構造粘性及び柔軟性付与効果がより向上し、３０質量％以下であると凍結復元性がより向上する。尚、（Ａ）成分の含量が３質量％未満であっても、後記する（Ｃ）成分を０．０１質量％以上配合することで、十分な構造粘性が得られる。
【００２６】
〔（Ｂ）成分〕
（Ｂ）成分はノニオン界面活性剤である。
（Ｂ）成分は構造粘性及び凍結復元性を液体柔軟剤組成物へ付与するために配合する。
（Ｂ）成分としては、液体柔軟剤分野で公知の物質を特に制限なく使用できる。例えば、アルコール又は脂肪酸のアルキレンオキサイド付加物を使用できる。
アルコール及び脂肪酸の各炭素鎖部分は直鎖でも分岐鎖よく、不飽和基を含んでいてもよい。また、炭素鎖に分布があってもよい。炭素鎖の炭素数は、好ましくは６〜２０、より好ましくは８〜１８である。炭素鎖が直鎖である場合、その炭素数は好ましくは６〜１４、より好ましくは８〜１２、最も好ましくは１０〜１２である。炭素鎖が分岐鎖である場合、その炭素数は好ましくは６〜１８、より好ましくは９〜１８、最も好ましくは１３である。
（Ｂ）成分の原料としては、エクソンモービル社製エクサール、ＢＡＳＦ社製ＬＵＴＥＮＳＯＬ（ルテンゾール）シリーズ、協和発酵工業製オキソコールや、Ｓｈｅｌｌ社製ＤＯＢＡＮＯＬシリーズなどを使用できる。
（Ｂ）成分がアルコールのアルキレンオキサイド付加物である場合、１級アルコール及び２級アルコールのいずれも使用できる。炭素数１３のアルコールは、例えばドデセンを原料として製造されるが、その出発原料としてはブチレンでもプロピレンでもよい。
炭素鎖が不飽和基を含む場合、その炭素数は１８であるものが特に好ましい。不飽和基の立体異性体構造は、シス体又はトランス体であっても、両者の混合物であってもよいが、特にシス体／トランス体の比率が２５／７５〜１００／０（質量比）であることが好ましい。
アルキレンオキサイドとしては、エチレンオキサイド（ＥＯ）が好ましいが、ＥＯと共にプロピレンオキサイド（ＰＯ）又はブチレンオキサイド（ＢＯ）を付加したものであってもよい。ＥＯの平均付加モル数としては１０〜１００モルが好適であり、より好ましくは２０〜８０モル、特に好ましくは４０〜７０モルである。また、ＥＯとともに付加するＰＯ又はＢＯの平均付加モル数としては１〜５が好適であり、より好ましくは１〜３モルである。この際、ＥＯを付加した後、ＰＯ又はＢＯを付加しても、あるいはＰＯ又はＢＯを付加した後、ＥＯを付加してもよい。
【００２７】
（Ｂ）成分の具体例としては、ノニルアルコールにＥＯを平均９モル及びＰＯを平均１モル付加した物、一級イソノニルアルコールの平均ＥＯ４０モル付加物、一級イソデシルアルコールの平均ＥＯ２０モル付加物、ラウリルアルコールの平均ＥＯ１０〜１００モル（好ましくは２０〜３０モル）付加物、一級イソへキサデシルアルコールの平均ＥＯ６０モル付加物、一級イソトリデシルアルコールの平均ＥＯ１０〜１００モル（好ましくは６０モル）付加物、トリデシルアルコールの平均ＥＯ５０モル付加物や、ラウリン酸の平均ＥＯ２０モル付加物等が挙げられる。市販品としては、日本エマルジョン製エマレックスシリーズ、三洋化成製エマルミンシリーズ、ライオン化学製ＴＤＡシリーズ、日本触媒製ソフタノールシリーズや、ＢＡＳＦ社製ＬＵＴＥＳＯＬシリーズ等を使用できる。
【００２８】
（Ｂ）成分は公知物質であり、市場で容易に入手可能である、又は、調製可能である。
【００２９】
（Ｂ）成分は単一種類を使用してもよく、複数種類を組み合わせて使用してもよい。
【００３０】
（Ｂ）成分の含量は配合目的を達成できる限り特に限定されないが、液体柔軟剤組成物の総質量に対し、好ましくは０．８〜１０質量％、より好ましくは０．９〜８質量％、さらに好ましくは１〜５質量％である。（Ｂ）成分の含量が０．８質量％以上であると、液体柔軟剤組成物の構造粘性及び凍結復元性がより向上し、１０質量％以下であると使用性に優れた粘度が得られる。
【００３１】
（Ｂ）成分の（Ａ）成分に対する質量比（（Ｂ）／（Ａ））は、０．１０〜１．０が好ましく、０．１５〜０．８がより好ましく、０．３５〜０．６が最も好ましい。前記の質量比であるとカプセル分散性と凍結復元性の双方に優れた液体柔軟剤組成物が得られる。
【００３２】
より高い構造粘性を得るためには、液体柔軟剤組成物製造の際、（Ａ）と（Ｂ）成分の一部と（Ｃ）成分とを含む乳化物を形成後に（Ｂ）成分の残りを添加することが好ましい。
【００３３】
〔（Ｃ）成分〕
（Ｃ）成分はＣｌｏｇＰ値が３．０以上の溶剤である。
（Ｃ）成分は、構造粘性を液体柔軟剤組成物へ付与するために配合する。
（Ｃ）成分のＣｌｏｇＰ値は、３．０以上、好ましくは３．０〜９．０、より好ましくは３．２〜６．０である。ＣｌｏｇＰ値が３．０以上であるとベシクル粒子（前記（Ａ）、（Ｂ）成分（一部）及び（Ｃ）成分を含む乳化物における分散質）の粒子径が大きくなり、液体柔軟剤組成物の構造粘性が向上する。ＣｌｏｇＰ値が９．０以下であると、ベシクル粒子中の（Ｂ）成分との良好な相溶性によりベシクル粒子の大きな粒子径、ひいては液体柔軟剤組成物のより高い構造粘性が得られる。
「ＣｌｏｇＰ値」とは疎水性の指標であり、ＣＬｏｇＰ法により計算できる。
（Ｃ）成分としては、液体柔軟剤（例えば液体柔軟剤用の香料組成物）において溶剤として使用可能であり、かつ、ＣｌｏｇＰ値が３．０以上の物質を使用できる。
尚、液体柔軟剤組成物が後記するフリー香料組成物（（Ｅ）成分）を含む場合、（Ｅ）成分用の溶剤の全部又は一部（好ましくは全部）として（Ｃ）成分を使用してもよい。
（Ｃ）成分は、長鎖脂肪酸と直鎖型若しくは分岐型アルコールとから構成される脂肪酸エステル、又は芳香環を有するエステルが好ましい。具体例としては、イソプロピルミリステート（７．２）、イソプロピルパルミテート（８．２）、イソブチルミリステート（７．７）、イソブチルパルミテート（８．８）や、ベンジルベンゾエート（４．４）が挙げられる（物質名に続く括弧内の数値はＣｌｏｇＰ値である）。なかでも、イソプロピルミリステート及びベンジルベンゾエートが好ましい。
【００３４】
（Ｃ）成分としては、２５℃における蒸気圧が０．０１ｍｍ／Ｈｇ未満のものがより好ましい。
【００３５】
（Ｃ）成分は公知物質であり、市場で容易に入手可能である、又は、調製可能である。
【００３６】
（Ｃ）成分は単一種類を使用してもよく、複数種類を組み合わせて使用してもよい。
【００３７】
（Ｃ）成分の含量は、液体柔軟剤組成物の総質量に対し０．１質量％以上、好ましくは０．１〜５質量％、より好ましくは０．１〜４質量％、更に好ましくは０．２〜３質量％である。（Ｃ）成分の含量が０．１質量％以上であると機能性カプセル（（Ｄ）成分）の安定な分散を可能にする構造粘性が得られる。５質量％以下であると使用性に優れた粘度が得られる。
尚、機能性カプセルが（Ｃ）成分に該当する物質を含む場合、カプセル中に局在する前記物質は構造粘性向上に寄与しないので、前記（Ｃ）成分の含量の計算には含めない。
一方、（Ｅ）成分（フリー香料組成物）が（Ｃ）成分に該当する物質を含む場合、当該物質は構造粘性向上に寄与するので、前記（Ｃ）成分の含量の計算に含める。
【００３８】
（Ｂ）成分の（Ｃ）成分に対する質量比（（Ｂ）／（Ｃ））は、１〜４５が好ましく、２〜３０がより好ましく、３〜２５が最も好ましい。前記の質量比であるとカプセル分散性と凍結復元性の双方に優れた液体柔軟剤組成物が得られる。
【００３９】
より高い構造粘性を得るためには、液体柔軟剤組成物製造の際、（Ａ）及び（Ｂ）成分を含む乳化物を形成するタイミングで（Ｃ）成分を添加することが好ましい。
【００４０】
〔（Ｄ）成分〕
（Ｄ）成分は機能性カプセルである。
（Ｄ）成分は、カプセル内に内包された芯物質に起因する様々な機能を液体柔軟剤組成物へ付与するために配合される。
機能性カプセルは、芯物質と当該芯物質を覆う壁物質とから構成される。
【００４１】
芯物質としては、液体柔軟剤分野でカプセル封入物質として一般的に用いられているものを特に制限なく使用できる。具体例としては、香料、精油、増白剤、虫除け剤（忌避剤）、シリコーン、ワックス、香味料、ビタミン、スキンケア剤、酵素、プロバイオティクス、染料、顔料、香料前駆体、冷感剤、温感剤、フェロモン等の誘引剤、抗菌剤、漂白剤、香味料、甘味料、ワックス、薬剤、肥料や、除草剤等が挙げられる。
芯物質は、１種類を単独で用いてもよく、２種以上を適宜組み合わせてもよい。
【００４２】
壁物質としては、液体柔軟剤組成物分野においてカプセル化材料として一般的に用いられているものを特に制限なく使用できる。具体例としては、ゼラチンや寒天等の天然系高分子や、油脂やワックス等の油性膜形成物質や、ポリアクリル酸系、ポリビニル系、ポリメタクリル酸系、メラミン系、ウレタン系等の合成高分子物質等を挙げることができ、それら１種を単独又は２種以上を適宜併用することができる。
【００４３】
香料を芯物質とするカプセル化香料の具体例としては、フィルメニッヒ社製のＢＬＵＥＦＬＯＷＥＲＰＯＰ「ＦＦＭＨＮ２８１４」、ジボダン社製のＧＲＥＥＮ  ＢＲＥＥＺＥ  ＣＡＰＳ、ＯＲＣＨＡＲＤ  ＧＡＲＤＥＮ  ＣＡＰＳ、ＲＡＩＮＢＯＷ  ＣＡＰＳ、ＶＥＬＶＥＴ  ＣＡＰＳ、ＡＵＲＯＲＡＣＡＰＳ、及びＣＯＳＭＩＣＣＡＰＳや、ＩＦＦ社製のＵＮＩＣＡＰ１０１及びＵＮＩＣＡＰ５０３等が挙げられる。
冷感剤を芯物質とする冷感カプセルの具体例としては、ＳＡＬＶＯＮＡ  Ｔｅｃｈｎｏｌｏｇｉｅｓ社製のＭｕｌｔｉＳａｌ  ＳalＣｏｏｌ、ＨｙｄｒoＳal  ＦreｓｈＣｏｏｌ、ＳalＳｐｈｅｒｅ  ＳalＣｏｏｌや、日華化学株式会社製のネオアージュＡＲＯＭＡ−Ｃ等が挙げられる。
温感剤を芯物質とする温感カプセルの具体例としては、三木理研株式会社製のリケンレジンＲＭＣ−ＴＯや、ＳＡＬＶＯＮＡ Ｔｅｃｈｎｏｌｏｇｉｅｓ社製のＨｙｄｒｏｓａｌ Ｈｅａｔ等が挙げられる。
忌避剤を芯物質とする忌避カプセルの具体例としては、大和化学工業社製のトルアミド系化合物を使用したアニンセンＣＬＣ−３６００Ｓや、ピペリジン系化合物を使用したアニンセンＰＣＲ−Ｕ等が挙げられる。
他の具体例としては、三木理研株式会社製のリケンレジンＮＦＨＯ−Ｗ（抗菌効果）や、リケンレジンＲＭＣ−ＨＢＰ（防虫効果）及びＲＭＣ−ＰＴ（防虫効果）等が挙げられる。
【００４４】
機能性カプセルの粒子径は10μｍ〜30μｍであることが好ましい。前記粒子径を有する機能性カプセルは、衣類への吸着性に優れ、かつ液体柔軟剤組成物中に安定に分散させることができる。
【００４５】
（Ｄ）成分は公知物質であり、市場で容易に入手可能である、又は、調製可能である。
【００４６】
（Ｄ）成分は単一種類を使用してもよく、複数種類を組み合わせて使用してもよい。
【００４７】
（Ｄ）成分の含量は、配合目的を達成できる限り特に限定されないが、液体柔軟剤組成物の総質量に対して、好ましくは０．０１〜５質量％、より好ましくは０．０５〜３質量％、更に好ましくは０．１〜１質量％である。
【００４８】
〔任意成分〕
液体柔軟剤組成物には、本発明の効果を損なわない範囲で、前記（Ａ）〜（Ｄ）の必須成分以外の下記の任意成分を配合してもよい。
【００４９】
〔（Ｅ）成分〕
（Ｅ）成分は、カプセル化されていないフリーの香料（以下「フリー香料」ともいう）である。
（Ｅ）成分は、液体柔軟剤組成物の残香性向上や、繊維製品への香気付与のために配合される。
（Ｅ）成分としては、液体柔軟剤分野で香料として一般的に用いられている香料成分を特に制限なく使用できる。（Ｅ）成分は、目的に応じて適宜選択することができ、単一種類でもよく、複数種類の組み合わせであってもよい。
具体例としては、例えば、アルデヒド類、フェノール類、アルコール類、エーテル類、エステル類、ハイドロカーボン類、ケトン類、ラクトン類、ムスク類、テルペン骨格を有する香料、天然香料や、動物性香料等が挙げられる。各香料の具体例を以下に示す。
〔アルデヒド類〕
ウンデシレンアルデヒド、ラウリルアルデヒド、アルデヒドＣ−１２ＭＮＡ、ミラックアルデヒド、α−アミルシンナミックアルデヒド、シクラメンアルデヒド、シトラール、シトロネラール、エチルバニリン、ヘリオトロピン、アニスアルデヒド、α−ヘキシルシンナミックアルデヒド、オクタナール、リグストラール、リリアール、リラール、トリプラール、バニリンや、ヘリオナール等。
〔フェノール類〕
オイゲノールや、イソオイゲノール等。
〔アルコール類〕
シトロネロール、ジハイドロミルセノール、ジハイドロリナロール、ゲラニオール、リナロール、ネロール、サンダロール、サンタレックス、ターピネオール、テトラハイドロリナロール、メントール、ボルネオール、１−デカナール、バクダノールや、フェニルエチルアルコール等
〔エーテル類〕
セドランバー、グリサルバ、メチルオイゲノールや、メチルイソオイゲノール等。
〔エステル類〕
シス−３−ヘキセニルアセテート、シス−３−ヘキセニルプロピオネート、シス−３−ヘキセニルサリシレート、ｐ−クレジルアセテート、ｐ−ｔ−ブチルシクロヘキシルアセテート、アミルアセテート、メチルジヒドロジャスモネート、アミルサリシレート、ベンジルサリシレート、ベンジルアセテート、セドリルアセテート、シトロネリルアセテート、デカハイドロ−β−ナフチルアセテート、ジメチルベンジルカルビニルアセテート、エリカプロピオネート、エチルアセトアセテート、エリカアセテート、ゲラニルアセテート、ゲラニルフォーメート、ヘディオン、リナリルアセテート、β−フェニルエチルアセテート、ヘキシルサリシレート、スチラリルアセテート、ターピニルアセテート、ベチベリルアセテート、ｏ−ｔ−ブチルシクロヘキシルアセテート、マンザネートや、アリルヘプタノエート等。
〔ハイドロカーボン類〕
リモネン（特に、ｄ−リモネン）、α−ピネン、β−ピネン、ミルセン、カンフェンや、テルピノーレン等。
〔ケトン類〕
α−ヨノン、β−ヨノン、メチル−β−ナフチルケトン、α−ダマスコン、β−ダマスコン、δ−ダマスコン、ダマセノン、シス−ジャスモン、メチルヨノン、アリルヨノン、カシュメラン、ジハイドロジャスモン、イソイースーパー、ベルトフィックス、イソロンジフォラノン、コアボン、カルボン、ローズフェノン、ラズベリーケトン、ダイナスコンやマルトール等。
〔ラクトン類〕
γ−デカラクトン、γ−ウンデカラクトン、γ−ノナラクトン、γ−ドデカラクトン、クマリンや、アンブロキサン等。
〔ムスク類〕
シクロペンタデカノライド、エチレンブラシレート、ガラクソライド、ムスクケトン、トナリッド、トナライドや、ニトロムスク類等。
〔テルペン骨格を有する香料〕
ゲラニオール(ゼラニオール)、ネロール、リナロール、シトラール、シトロネロール、メントール、ミント、シトロネラール、ミルセン、α−ピネン、β−ピネン、リモネン、テレピネロール、カルボン、ヨノン（例えばβ−ヨノン）、カンフェンや、ボルネオール等。
〔天然香料〕
オレンジ油、レモン油、ライム油、プチグレン油、ユズ油、ネロリ油、ベルガモット油、ラベンダー油、ラバンジン油、アビエス油、アニス油、ベイ油、ボアドローズ油、イランイラン油、シトロネラ油、ゼラニウム油、ペパーミント油、ハッカ油、スペアミント油、ユーカリ油、レモングラス油、パチュリ油、ジャスミン油、ローズ油、シダー油、ベチバー油、ガルバナム油、オークモス油、パイン油、樟脳油、白檀油、芳樟油、テレピン油、クローブ油、クローブリーフ油、カシア油、ナツメッグ油、カナンガ油や、タイム油等の精油が挙げられる。
〔動物性香料〕
じゃ香、霊猫香、海狸香や、竜涎香等。
【００５０】
（Ｅ）成分は、前記香料成分を含む香料組成物（以下「フリー香料組成物」ともいう）であることが好ましい。特に、アルデヒド類、ケトン類及びハイドロカーボン類の香料成分を含有する香料組成物が好ましい。この好ましい香料組成物の具体例としては、下記の各香料成分の一種以上を含むものが挙げられる。
〔アルデヒド類〕
ウンデシレンアルデヒド、ラウリルアルデヒド、アルデヒドＣ−１２ＭＮＡ、ミラックアルデヒド、α−アミルシンナミックアルデヒド、シクラメンアルデヒド、シトラール、シトロネラール、ヘリオトロピン、アニスアルデヒド、α−ヘキシルシンナミックアルデヒド、オクタナール、リグストラール、リリアール、リラール、トリプラール、バニリン、エチルバニリン、ヘリオナール
〔ケトン類〕
α−ヨノン、β−ヨノン、メチル−β−ナフチルケトン、α−ダマスコン、β−ダマスコン、δ−ダマスコン、シス−ジャスモン、メチルヨノン（メチルイオノン）、アリルヨノン（アリルイオノン）、カシュメラン、ジハイドロジャスモン、イソイースーパー、ベルトフィックス、イソロンジフォラノン、コアボン、ローズフェノン、ラズベリーケトン、ダイナスコン、マルトール
〔ハイドロカーボン類〕
リモネン、α−ピネン、β−ピネン、ミルセン、テルピノーレン
【００５１】
フリー香料組成物が、香料成分としてアルデヒド類と、ケトン類と、ハイドロカーボン類とを含む場合、凍結復元性の観点で、これらの香料成分の総質量は、香料組成物の総質量に対して、好ましくは１０質量％以上、より好ましくは３０質量％以上、特に好ましくは５０質量％以上である。
【００５２】
フリー香料組成物には香料用溶剤を配合してもよい。香料用溶剤としては、液体柔軟剤分野で一般的に用いられているものを特に制限なく使用できる。
前記のとおり、香料用溶剤の全部又は一部は（Ｃ）成分であってもよい。（Ｃ）成分以外の香料用溶剤としては、アセチン（トリアセチン）、ＭＭＢアセテート（３−メトキシ−３−メチルブチルアセテート）、スクロースジアセテートヘキサイソブチレート、エチレングリコールジブチレート、ヘキシレングリコール、ジブチルセバケート、メチルカルビトール（ジエチレングリコールモノメチルエーテル）、カルビトール（ジエチレングリコールモノエチルエーテル）、ＴＥＧ（トリエチレングリコール）、プロピレングリコール、フタル酸ジエチル、トリプロピレングリコール、アボリン（ジメチルフタレート）、ジプロピレングリコール（ＤＰＧ）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）や、１，３−ブチレングリコール等が挙げられる。
香料組成物用溶剤の含量は、フリー香料組成物の総質量に対して、例えば０．１〜３０質量％、好ましくは１〜２０質量％である。
香料組成物用溶剤の全部又は一部が（Ｃ）成分である場合、（Ｃ）成分の含量は、フリー香料組成物の総質量に対して、例えば０．１〜３０質量％、好ましくは０．２〜２０質量％である。
【００５３】
フリー香料組成物には香料用酸化防止剤を配合してもよい。香料用酸化防止剤としては、液体柔軟剤分野で一般的に用いられているものを特に制限なく使用できる。具体例としては、２，６−ジ−ｔ−ジブチル−４−ヒドロキシトルエン（ＢＨＴ）、ｔ−ブチル−ｐ−ヒドロキシアニソール（ＢＨＡ）、ｐ−メトキシフェノール、β−ナフトール、フェニル−α−ナフチルアミン、テトラメチルジアミノジフェニルメタン、γ−オリザノール、ビタミンＥ（α−トコフェロール、β−トコフェロール、γ−トコフェロール、δ−トコフェロール）、２，２’−エチリデンビス（４，６−ジ−ｔ−ブチルフェノール）、トリス（テトラメチルヒドロキシピペリジノール）・１／３クエン酸塩、ビス（２，２，６，６−テトラメチル−４−ピペリジル）セバケート、クェルセチンや、４，４’−ビス（α，α−ジメチルベンジル）ジフェニルアミン等が挙げられる。好ましくは２，６−ジ−ｔ−ジブチル−４−ヒドロキシトルエンである。
酸化防止剤の含量は、フリー香料組成物の総質量に対して、例えば０．００１〜１０質量％、好ましくは０．０１〜５質量％である。
【００５４】
（Ｅ）成分の含量は、配合目的を達成できる限り特に限定されないが、液体柔軟剤組成物の総質量に対して、好ましくは０．１〜５質量％、より好ましくは０．３〜４質量％、特に好ましくは０．５〜３質量％である。（Ｅ）成分の含量が０．１質量％以上であると液体柔軟剤組成物の残香性がより良好になり、５質量％以下であると液体柔軟剤組成物の保存安定性がより良好になる。
【００５５】
〔水溶性溶剤〕
液体柔軟剤組成物の安定性の更なる向上、特に凍結復元性の更なる向上のために（Ｃ）成分以外の水溶性溶剤も配合され得る。
水溶性溶剤としては、炭素数１〜４のアルコール、グリコールエーテル系溶剤、及び多価アルコールからなる群から選ばれる１種又は２種以上が好ましい。具体的には、エタノール、イソプロパノール、ジエチレングリコール、ジプロピレングリコール、ヘキシレングリコール、ポリオキシエチレンフェニルエーテル、及び、下記一般式（Ｘ）で表わされる水溶性溶剤から選ばれる溶媒成分を配合することが好ましい。
Ｒ6−Ｏ−（Ｃ2Ｈ4Ｏ）y−（Ｃ3Ｈ6Ｏ）Z−Ｈ  ・・・（Ｘ）
（式中、Ｒ6は、炭素数１〜６、好ましくは２〜４のアルキル基又はアルケニル基であり、ｙおよびｚはそれぞれ平均付加モル数であり、ｙは１〜１０、好ましくは２〜５であり、zは０〜５、好ましくは０〜２である。）
上記に挙げた中でも、エタノール、ブチルカルビトール、ジプロピレングリコールモノメチルエーテルや、ジエチレングリコールモノブチルエーテルが好ましい。
水溶性溶剤の含量は特に限定されないが、液体柔軟剤組成物の総質量に対し、好ましくは０〜３０質量％、より好ましくは０．０１〜２５質量％、さらに好ましくは０．１〜２０質量％である。
【００５６】
〔糖系化合物〕
糖系化合物は、液体柔軟剤組成物の安定性の更なる向上、特に凍結復元性の更なる向上のために配合され得る。
糖系化合物における糖骨格の繰り返し単位の数（重合度）は、好ましくは１〜４０、更に好ましくは１〜２０、特に好ましくは１〜５（すなわち、単糖及び重合度１超５以下のオリゴ糖）である。好ましい糖系化合物としては、単糖、二糖、オリゴ糖や糖アルコールが挙げられる。
糖系化合物の具体例としては、グルコース、フルクトース、ガラクトース、アラビノース、リボース、マルトース、イソマルトース、セロビオース、ラクトース、スクロース、トレハロース、タロース、マルトトリオース、イソマルトトリオース、及び、天然多糖の部分加水分解から得られるオリゴ糖、並びに、これらの糖に置換基を導入した化合物（糖誘導体）が挙げられる。導入可能な置換基としては、アルキル基、アルケニル基、アルコキシ基、ヒドロキシアルキル基、アミン基、４級アンモニウム基や、カルボキシル基等が挙げられる。なかでも、炭素数１〜１８のアルキル基、アルケニル基又はアルコキシ基が好ましく、炭素数１〜１２のアルキル基、アルケニル基又はアルコキシ基がより好ましく、炭素数１〜６のアルキル基がさらに好ましく、炭素数１〜３のアルキル基が最も好ましい。
糖系化合物としては、単糖及び重合度が１〜５のオリゴ糖、並びに、前記単糖及びオリゴ糖の少なくとも一つの水酸基の水素原子がアルキル基で置換された化合物から選ばれる１種以上が好ましい。凍結復元性の観点からは、トレハロースが好ましい。
糖アルコールとしては、エリトリトール、トレイトール、ペンチトール、ヘキシトール、ダルシトール、ソルビトール、マンニトール、ボレミトール、ペルセイユトール、キシリトール、マルチトールや、ラクチトール等が挙げられる。
糖系化合物は、単一種類を使用してもよく、複数種類を組み合わせて使用してもよい。
糖系化合物の含量は、配合目的を達成できる限り特に限定されないが、液体柔軟剤組成物の総質量に対し、０．０１〜１０質量％、好ましくは０．０５〜７質量％、より好ましくは０．１〜５質量％である。
【００５７】
〔染料及び／又は顔料〕
染料及び顔料は、それぞれ液体柔軟剤組成物の外観を向上するために配合され得る。
染料及び顔料共に、液体柔軟剤分野で公知の成分を特に制限なく使用できる。添加できる染料の具体例は、染料便覧（有機合成化学協会編，昭和４５年７月２０日発行，丸善株式会社）などに記載されている。また、特開平６−１２３０８１号公報、特開平６−１２３０８２号公報、特開平７−１８５７３号公報、特開平８−２７６６９号公報、特開平９−２５００８５号公報、特開平１０−７７５７６号公報、特開平１１−４３８６５号公報、特開２００１−１８１９７２号公報や特開２００１−３４８７８４号公報などに記載されている染料も使用できる。
好ましくは、酸性染料、直接染料、塩基性染料、反応性染料及び媒染・酸性媒染染料から選ばれる、赤色、青色、黄色もしくは紫色系の水溶性染料の１種以上である。
染料及び顔料のそれぞれについて、１種類を単独で用いてもよく、２種類以上からなる混合物として用いてもよい。また、染料と顔料とを併用してもよい。
染料及び顔料の各配合量は、配合目的を達成できる限り特に限定されないが、液体柔軟剤組成物の総質量に対し、好ましくは１〜５０ｐｐｍ、より好ましくは１〜３０ｐｐｍである。
【００５８】
〔防腐剤〕
防腐剤は、主に、液体柔軟剤組成物の防腐力や殺菌力を強化し、長期保存中の防腐性を保つために配合され得る。
防腐剤としては、液体柔軟剤分野で公知の成分を特に制限なく使用できる。具体例としては、例えば、イソチアゾロン系の有機硫黄化合物、ベンズイソチアゾロン系の有機硫黄化合物、安息香酸類や、２−ブロモ−２−ニトロ−１，３−プロパンジオール等が挙げられる。
イソチアゾロン系の有機硫黄化合物としては、５−クロロ−２−メチル−４−イソチアゾリン−３−オン、２−ｎ−ブチル−３−イソチアゾロン、２−ベンジル−３−イソチアゾロン、２−フェニル−３−イソチアゾロン、２−メチル−４，５−ジクロロイソチアゾロン、５−クロロ−２−メチル−３−イソチアゾロン、２−メチル−４−イソチアゾリン−３−オンや、これらの混合物などが挙げられる。なかでも、５−クロロ−２−メチル−４−イソチアゾリン−３−オン、２−メチル−４−イソチアゾリン−３−オンが好ましく、５−クロロ−２−メチル−４−イソチアゾリン−３−オンと２−メチル−４−イソチアゾリン−３−オンとの混合物がより好ましく、前者が約７７質量％と後者が約２３質量％との混合物やその希釈液（例えば、イソチアゾロン液）が特に好ましく、具体例としてはダウケミカル社製のケーソンＣＧ−ＩＣＰ等が挙げられる。
ベンズイソチアゾロン系の有機硫黄化合物としては、１，２−ベンズイソチアゾリン−３−オン、２−メチル−４，５−トリメチレン−４−イソチアゾリン−３−オン、類縁化合物としてジチオ−２，２−ビス（ベンズメチルアミド）や、これらの混合物などが挙げられる。なかでも、１，２−ベンズイソチアゾリン−３−オンが特に好ましく、具体例としてはクラリアント（株）製のニッパサイドや、（株）ロンザ製のプロキセルＢＤＮ、プロキセルＧＸＬ、プロキセルＸＬ、プロキセルＬＶ、プロキセルＣＲＬ、プロキセルＮＢＺ、プロキセルＡＭ、プロキセルＢ２０などが挙げられる。
安息香酸類としては、安息香酸又はその塩、パラヒドロキシ安息香酸又はその塩、パラオキシ安息香酸メチル、パラオキシ安息香酸エチル、パラオキシ安息香酸プロピル、パラオキシ安息香酸ブチルや、パラオキシ安息香酸ベンジル等が挙げられる。
防腐剤の含量は、配合目的を達成できる限り特に限定されないが、液体柔軟剤組成物の総質量に対し、好ましくは０．０００１〜１質量％である。含量が０．０００１質量％以上であると、防腐剤の配合効果が十分に得られ、１質量％以下であると、液体柔軟剤組成物の高い保存安定性を十分に維持することができる。
【００５９】
〔紫外線吸収剤〕
紫外線吸収剤は、液体柔軟剤組成物を紫外線から保護するために配合され得る。
紫外線吸収剤は、紫外線を吸収し、赤外線や可視光線等に変換して放出することで、紫外線防御効果を発揮する成分である。
紫外線吸収剤としては、液体柔軟剤分野で公知の成分を特に制限なく使用できる。具体例としては、例えば、ｐ−アミノ安息香酸、ｐ−アミノ安息香酸エチル、ｐ−アミノ安息香酸グリセリルや、ｐ−ジメチルアミノ安息香酸アミル等のアミノ安息香酸誘導体；サリチル酸エチレングリコール、サリチル酸ジプロピレングリコール、サリチル酸オクチルや、サリチル酸ミリスチル等のサリチル酸誘導体；ジイソプロピルケイ皮酸メチル、ｐ−メトキシケイ皮酸エチル、ｐ−メトキシケイ皮酸イソプロピル、ｐ−メトキシケイ皮酸−２−エチルヘキシルや、ｐ−メトキシケイ皮酸ブチル等のケイ皮酸誘導体；２−ヒドロキシ−４−メトキシベンゾフェノン、２−ヒドロキシ−４−メトキシベンゾフェノン−５−スルホン酸や、２、２'−ジヒドロキシ−４−メトキシベンゾフェノン等のベンゾフェノン誘導体；ウロカニン酸や、ウロカニン酸エチル等のアゾール系化合物；４−ｔ−ブチル−４'−メトキシベンゾイルメタン等が挙げられる。
紫外線吸収剤の含量は、配合目的を達成できる限り特に限定されないが、液体柔軟剤組成物の総質量に対し、好ましくは０．００１〜５質量％である。
【００６０】
〔抗菌剤〕
抗菌剤は、液体柔軟剤組成物の保存性を高めるために配合され得る。
抗菌剤としては、液体柔軟剤分野で公知の成分を特に制限なく使用できる。具体例としては、例えば、ダイクロサン、トリクロサン、塩化ベンザルコニウム、ビス−（２−ピリジルチオ−１−オキシド）亜鉛、８−オキシキノリン、ビグアニド系化合物（例えば、ポリヘキサメチレンビグアニド）、塩酸クロロヘキシジンや、ポリリジン等が挙げられる。これらの中でも、塩化ベンザルコニウム、ビグアニド系化合物や、塩酸クロロヘキシジンが好ましい。
抗菌剤の含量は、配合目的を達成できる限り特に限定されないが、液体柔軟剤組成物の総質量に対し、好ましくは０．００１〜５質量％である。
【００６１】
〔その他の任意成分〕
前記の任意成分以外にも、液体柔軟剤組成物の香気や色調の安定性を向上させるための酸化防止剤や還元剤、乳濁剤（ポリスチレンエマルジョンなど）、不透明剤、縮み防止剤、洗濯じわ防止剤、形状保持剤、ドレープ性保持剤、アイロン性向上剤、酸素漂白防止剤、増白剤、白化剤、布地柔軟化クレイ、帯電防止剤、移染防止剤（ポリビニルピロリドンなど）、高分子分散剤、汚れ剥離剤、スカム分散剤、蛍光増白剤（４，４−ビス（２−スルホスチリル）ビフェニルジナトリウム（チバスペシャルティケミカルズ製チノパールＣＢＳ−Ｘ）など）、染料固定剤、退色防止剤（１，４−ビス（３−アミノプロピル）ピペラジンなど）、染み抜き剤、繊維表面改質剤（セルラーゼ、アミラーゼ、プロテアーゼ、リパーゼや、ケラチナーゼなどの酵素）、抑泡剤、水分吸放出性など絹の風合い・機能を付与する成分（シルクプロテインパウダー、それらの表面改質物、乳化分散液、具体的にはＫ−５０、Ｋ−３０、Ｋ−１０、Ａ−７０５、Ｓ−７０２、Ｌ−７１０、ＦＰシリーズ（出光石油化学）、加水分解シルク液（上毛）、シルクゲンＧソルブルＳ（一丸ファルコス））や、汚染防止剤（アルキレンテレフタレート及び／又はアルキレンイソフタレート単位とポリオキシアルキレン単位とからなる非イオン性高分子化合物、例えば、互応化学工業製ＦＲ６２７、クラリアントジャパン製ＳＲＣ−１など）等を適宜配合できる。
【００６２】
〔水〕
液体柔軟剤組成物は、好ましくは水を含む液体状の水性組成物である。
水としては、水道水、イオン交換水、純水、蒸留水など、いずれも用いることができる。なかでもイオン交換水が好適である。
【００６３】
〔液体柔軟剤組成物のｐＨ〕
液体柔軟剤組成物のｐＨは特に限定されないが、保存経日に伴う（Ａ）成分の加水分解抑制の観点から、より酸性側のｐＨが好ましく、２５℃におけるｐＨが１〜６の範囲内であることが好ましく、１．５〜５の範囲内であることがより好ましく、２〜４の範囲内であることがさらに好ましい。
ｐＨ調整には、塩酸、硫酸、リン酸、アルキル硫酸、安息香酸、パラトルエンスルホン酸、クエン酸、リンゴ酸、コハク酸、乳酸、グリコール酸、ヒドロキシエタンジホスホン酸、フィチン酸、エチレンジアミン四酢酸、ジメチルアミン等の短鎖アミン化合物、水酸化ナトリウム等のアルカリ金属水酸化物、アルカリ金属炭酸塩や、アルカリ金属珪酸塩などのｐＨ調整剤を用いることができる。
【００６４】
〔液体柔軟剤組成物の粘度〕
液体柔軟剤組成物は、（Ｄ）成分を安定に分散できる構造粘性を有しているが、その粘度は使用性の観点から１０００ｍＰａ・ｓ未満であることが好ましい。
保存経日による粘度上昇を考慮すると、製造直後の粘度は８００ｍＰａ・ｓ未満であるのがより好ましく、５００ｍＰａ・ｓ未満であるのがさらに好ましい。８００ｍＰａ・ｓ未満であると、洗濯機への投入の際のハンドリング性等の使用性が良好である。使用性の観点からは粘度の下限は特に制限されない。
液体柔軟剤組成物の粘度を調節する目的で、無機又は有機の水溶性塩類や高度分岐環状デキストリン等を使用できる。水溶性塩類の具体例としては、塩化カルシウム、塩化マグネシウム、塩化ナトリウム、ｐ−トルエンスルホン酸ナトリウムや、クエン酸ナトリウム等が挙げられるが、なかでも塩化カルシウム、塩化マグネシウムや、クエン酸ナトリウムが好ましい。粘度調節剤の配合量は、例えば、液体柔軟剤組成物の総質量に対し０．００１〜１．０質量％、好ましくは０．００５〜０．８質量％、さらに好ましくは０．０１〜０．６質量％である。水溶性塩類は、液体柔軟剤組成物製造のどの工程で配合しても構わない。
液体柔軟剤組成物の粘度とは、Ｂ型粘度計（例えば、ブルックフィールド社のアナログ粘度計T）の３０ｒｐｍの粘度値（２５℃）をいう。
【００６５】
〔液体柔軟剤組成物の製造方法〕
液体柔軟剤組成物の製造方法は特に限定されない。公知の製造方法、例えば、主剤としてカチオン界面活性剤を用いた公知の製造方法と同様の方法により製造できる。
例えば、（Ａ）成分、（Ｂ）成分、（Ｃ）成分及び（Ｅ）成分を含む油相と、水を含む水相とを、（Ａ）成分の融点以上の温度条件下で混合して乳化物を調製し、得られた乳化物に対して（Ｄ）成分と、必要に応じて残りの（Ｂ）成分、粘度調節剤、その他の成分を添加し混合することで製造できる。
油相は、（Ａ）成分の融点以上の温度で、（Ａ）成分、（Ｂ）成分、（Ｃ）成分、（Ｅ）成分と、必要に応じて任意成分とを混合することで調製できる。
水相は、水と、必要に応じて任意成分とを混合することで調製できる。
尚、粘度調節剤の添加方法は、上記の添加方法に限定されない。すなわち、粘度調節剤は水相へ添加することも可能である。
【００６６】
〔液体柔軟剤組成物の使用方法〕
液体柔軟剤組成物を用いた繊維製品の処理方法は特に制限されず、従来の液体柔軟剤と同様に使用できる。例えば、洗濯のすすぎの段階ですすぎ水に液体柔軟剤組成物を溶解させて処理を行う、又はたらいのような容器中で液体柔軟剤組成物を水に溶解させ、更に繊維製品を入れて浸漬処理する方法がある。いずれも場合も適度な濃度に希釈して使用するが、浴比（繊維製品に対する処理液の重量比）は３〜１００倍、特に５〜５０倍であることが好ましい。具体的には、全使用水量に対して、（Ａ）成分の濃度が好ましくは０．０１ｐｐｍ〜１０００ｐｐｍ、さらに好ましくは０．１ｐｐｍ〜３００ｐｐｍとなるような量で使用される。
液体柔軟剤組成物で処理可能な繊維製品の種類は特に限定されず、例えば、衣類、カーテン、ソファー、カーペット、タオル、ハンカチ、シーツや、マクラカバー等が挙げられる。その素材も、綿や絹、ウール等の天然繊維でもよいし、ポリエステル等の化学繊維でもよい。
【実施例】
【００６７】
以下、実施例により本発明を更に詳細に説明するが、本発明はこれに限定されるものではない。
尚、実施例及び比較例において、各成分の配合量はすべて質量％（指定のある場合を除き、純分換算）を示す。
【００６８】
〔（Ａ）成分〕
下記のＡ−１を使用した。
Ａ−１：特開２００３−１２４７１号公報の実施例４に記載のカチオン界面活性剤。Ａ−１は、一般式（Ａ１−４）、（Ａ１−５）及び（Ａ１−６）で表される化合物（各式中、Ｒ9は炭素数１５〜１７のアルキル基及びアルケニル基である）をジメチル硫酸で４級化したものを含む組成物である。
【００６９】
〔（Ｂ）成分〕
下記のＢ−１〜Ｂ−２を使用した。
Ｂ−１：ポリオキシエチレンイソトリデシルエーテルＥＯ６０モル（一級イソトリデシルアルコールの平均ＥＯ６０モル付加物に相当）
Ｂ−２：ポリオキシエチレンラウリルエーテルＥＯ３０モル（ラウリルアルコールの平均ＥＯ３０モル付加物に相当）
【００７０】
〔（Ｃ）成分〕
下記のＣ−１〜Ｃ−３を使用した。
Ｃ−１：イソプロピルミリステート（ClogP値：７．２。２５℃における蒸気圧：０．０００３３ｍｍ／Ｈｇ）（東京化成工業株式会社製）
Ｃ−２：ベンジルベンゾエート（ClogP値：４．４。２５℃における蒸気圧：０．０００２５ｍｍ／Ｈｇ）（東京化成工業株式会社製）
Ｃ−３：ジプロピレングリコール（ClogP値：−０．６）（東京化成工業株式会社製）
〔（Ｄ）成分〕
下記のＤ−１〜Ｄ−２を使用した。
Ｄ−１：ＧｒｅｅｎＢｒｅｅｚｅ（Ｇｉｖａｕｄａｎ社製のカプセル化香料）
Ｄ−２：アニンセンＰＣＲ−Ｕ（大和化学工業社製の忌避カプセル）
【００７１】
〔（Ｅ）成分〕
表１記載の組成を有するフリー香料組成物Ｅ−１を用いた。表１の香料成分の値は、香料組成物の総質量に対する含量（質量％）である。なお、アルデヒド類、ケトン類及びハイドロカーボン類の各香料成分の総質量は、Ｅ−１の総質量に対して４０質量％であった。また、Ｅ−１は（Ｃ）成分に該当する物質を含んでいなかった。
【表１】
2019210576.tif 000004
【００７２】
〔共通成分〕
下記のＦ−１〜Ｆ−２を使用した。
〔共通成分（Ｆ―１）〕
〔水溶性溶剤〕
９５％合成エタノール（純正化学）（ClogP値：−０．２）
〔防腐剤〕
１，２−ベンズイソチアゾリン−３−オン（クラリアントジャパン株式会社製。商品名:Nipacide BIT20）
〔粘度調節剤〕
塩化カルシウム（（株）トクヤマ製、商品名：粒状塩化カルシウム）
（Ｆ−１）の各成分の含量を表２−１に示す。
【表２−１】
2019210576.tif 000005
【００７３】
〔共通成分（Ｆ―２）〕
〔水溶性溶剤〕
９５％合成エタノール（純正化学）
〔防腐剤〕
１，２−ベンズイソチアゾリン−３−オン（クラリアントジャパン株式会社製。商品名:Nipacide BIT20）
〔粘度調節剤〕
高度分岐環状デキストリン（グリコ栄養食品株式会社製。商品名：クラスターデキストリン）
塩化カルシウム（（株）トクヤマ製。商品名：粒状塩化カルシウム）
（Ｆ−２）の各成分の含量を表２−２に示す。
【表２−２】
2019210576.tif 000006
【００７４】
〔液体柔軟剤組成物の調製方法〕
後記の表３に示す組成を有する液体柔軟剤組成物を調製した。表３中、各成分の数値の単位は、液体柔軟剤組成物の総質量に対する質量％である。
表３中の「（Ｂ）／（Ａ）」は、（Ｂ）成分の（Ａ）成分に対する質量比を示す。更に表３中の「（Ｂ）／（Ｃ）」は、（Ｂ）成分の（Ｃ）成分に対する質量比を示す。
液体柔軟剤組成物を、ガラス容器（内径１００ｍｍ、高さ１５０ｍｍ）と攪拌機（アジターＳＪ型、島津製作所製）とを用い、次の手順により調製した。
まず、（Ａ）成分、（Ｃ）成分、（Ｅ）成分、（Ｂ）成分の一部（総量に対し２．０質量％及び水溶性溶剤を混合攪拌して油相混合物を得た。
一方、防腐剤をバランス用イオン交換水に溶解して水相混合物を得た。ここで、バランス用イオン交換水の質量は、９８０ｇから油相混合物と（Ｂ）成分の残部、（Ｄ）成分、及び粘度調節剤の合計量を差し引いた残部に相当した。
次に、（Ａ）成分の融点以上に加温した油相混合物をガラス容器に収納して攪拌しながら、（Ａ）成分の融点以上に加温した水相混合物を２度に分割して添加し、攪拌した。ここで、水相混合物の分割比率は３０：７０（質量比）とし、攪拌は回転速度１，０００ｒｐｍで、１回目の水相混合物添加後に２分間、２回目の水相混合物添加後に２分間行った。
しかる後、（Ｂ）成分の残部、（Ｄ）成分及び粘度調節剤を添加し、必要に応じて、塩酸（試薬１ｍｏｌ／Ｌ、関東化学）又は水酸化ナトリウム（試薬１ｍｏｌ／Ｌ、関東化学）を適量添加してｐＨ３．０（２５℃）に調整し、更に全体質量が１，０００ｇになるようにイオン交換水を添加して、目的の液体柔軟剤組成物を得た。
【００７５】
〔液体柔軟剤組成物の評価〕
調製した液体柔軟剤組成物を、「機能性カプセルの分散性」、「凍結復元性」及び「機能性カプセルの効果」について評価した。
【００７６】
〔機能性カプセルの分散性〕
軽量ＰＳガラスビン（ＰＳ−Ｎｏ．１１。田沼硝子工業所製）に液体柔軟剤組成物８０ｍＬを入れて密栓し、２５℃下で３ヶ月間保存したものを評価用サンプルとした。
評価用サンプルを、下記の４段階評価基準に従って、専門パネラーが目視評価した。
＜評価基準＞
４：保存前のサンプルと同等と認められるもの
３：わずかに浮遊が認められるもの
２：浮遊が認められるが、軽い振とうにより容易に再分散するもの
１：浮遊が認められ、ガラスビンへの付着もあり軽い振とうでは再分散が困難なもの
機能性カプセルの分散安定性を、専門パネラー８名の平均点（小数点第１位まで算出）に基づき、下記判定基準に従って判定した。結果を表３の「カプセル分散性」欄に示す。商品価値上、○以上を好ましいものとした。
＜判定基準＞
◎：３点以上〜４点
○：２点以上〜３点未満
△：１点以上〜２点未満
×：０点〜１点未満
【００７７】
〔凍結復元性〕
軽量ガラスビン（ＰＳ−Ｎｏ．１１。田沼硝子工業所製）に液体柔軟剤組成物８０ｍＬを入れて密栓したものを評価用サンプルとした。
評価用サンプルを、−１５℃で４０時間保持（凍結）し、その後、２５℃で８時間保持（溶解）するサイクルを３回繰り返した。
次いで、評価用サンプルの２５℃における液状態を、下記評価基準に従って、専門パネラーが目視評価した。
＜評価基準＞
５：流動性が充分にあり、かつ耐久試験前と比較して変化がほとんど認められない。
４：耐久試験前と比較して粘度の上昇が認められるが、流動性は充分にある。
３：耐久試験前と比較して粘度の上昇が認められるが、流動性は認められる。
２：耐久試験前と比較して粘度が上昇し、あまり流動性がない。
１：耐久試験前と比較して粘度が著しく上昇し、ほとんど流動性がない。
０：耐久試験前と比較して粘度が著しく上昇し、流動性が全くない。
凍結復元性を、専門パネラー８名の平均点（小数点第１位まで算出）に基づき、下記判定基準に従って判定した。結果を表３の「凍結復元性」欄に示す。商品価値上、○以上を合格とした。
＜判定基準＞
◎：４．０以上
○：３．０以上、４．０点未満
△：２．０以上〜３．０点未満
×：２．０点未満
【００７８】
〔機能性カプセルの効果〕
１．液体柔軟剤組成物を用いた綿タオルの処理
１−１．前処理
市販の綿タオル（東進社製）を、二槽式洗濯機（東芝製ＶＨ−３０Ｓ）中、市販洗剤「トッププラチナクリア」（ライオン社製）を用いた前処理に付した（洗剤使用量：標準。浴比３０倍。４５℃の水道水。１０分間の洗浄、続いて１０分間の注水すすぎを２回）。この前処理を３回行った。
【００７９】
１−２．洗濯時すすぎ工程での処理
前処理した綿タオル１．０ｋｇを、二槽式洗濯機（東芝製ＶＨ−３０Ｓ）中、市販洗剤「トッププラチナクリア」（ライオン社製）を用いた洗浄処理に付した（洗剤使用量：標準。標準コース。浴比３０倍。２５℃の水道水。１０分間）。洗浄処理後、１回目のすすぎを３分間行った。１回目のすすぎに続いて２回目のすすぎを３分間行った。２回目のすすぎの開始時に、〔機能性カプセルの分散性〕欄に記載の２５℃で３ヶ月保存後のサンプルの液体の中心からスポイトで吸い取った液体柔軟剤組成物を添加して３分間の柔軟処理（液体柔軟剤組成物：６．６７ｍＬ。浴比２０倍。２５℃の水道水）を行った。洗浄及びすすぎの各処理間に脱水を１分間行った。
処理後、二槽式洗濯機から綿タオルを取出し、２０℃、４０％ＲＨの恒温恒湿条件下で２４時間乾燥させ、評価用処理布とした。
【００８０】
１−３．残香性評価（実施例９以外）
上記処理後、綿タオルの香気強度を下記の６段階臭気強度表示法に準拠して専門パネラーが官能評価した。
＜６段階臭気強度表示法＞
０：無臭。
１：やっと検知できる程度の香り。
２：何の香りか分かる程度の香り。
３：楽に感知できる香り。
４：強い香り。
５：強烈な香り。
機能性カプセルの残香性（香り持続性）を、専門パネラー８人の平均点（小数点第１位まで算出）に基づき、下記判定基準に従って判定した。結果を表３の「残香性」欄に示す。商品価値上、○以上を合格とした。
＜判定基準＞
◎：３．０点以上
○：２．０点以上３．０点未満。
△：１．０点以上２．０点未満。
×：１．０点未満。
【００８１】
１−４．忌避効果評価（実施例９）
屋内（室温２５℃）にて、３０ｃｍ×３０ｃｍ×３０ｃｍの籠にヒトスジシマカ雌１０頭を入れた。籠の中に、忌避剤入りカプセルを含む液体柔軟剤で処理していない綿タオル（ブランク）を巻き付けた腕を挿入し、３０秒間に皮膚露出部分に係留するヒトスジシマカの数（Ａ）をカウントとした。
前記１−２に従い液体柔軟剤組成物で処理した綿タオルを腕に巻き付けた後、ブランクと同様にヒトスジシマカ雌１０頭が入った籠に腕を挿入し、３０秒間に皮膚露出部分に係留するヒトスジシマカの数（Ｂ）をカウントした。
ＡおよびＢの値から、忌避率（％）を下記式により算出した。
忌避率（％）＝（Ａ−Ｂ）／Ａ×１００
結果を表３の「忌避効果」欄に示す。商品価値上、○以上を合格とした。
＜評価基準＞
◎：忌避率６０％以上
○：忌避率４０％以上６０％未満
△：忌避率２０％以上４０％未満
×：忌避率２０％未満
【産業上の利用可能性】
【００８２】
本発明は、柔軟剤分野で利用可能である。
【００８３】
【表３】
2019210576.tif 000007